(57)【要約】【課題】  撮影の操作位置と撮影位置間の距離に制限がないリモコン撮影が可能な携帯電話機を提供する。【解決手段】  撮影信号を電話通信手段を介して相手機に伝送し、相手機において撮影した画像情報を操作側の携帯電話機に表示する。【選択図】        図２
2005102025.tif 000002
【特許請求の範囲】
【請求項１】
音声入出力手段、送受信を行う電話通信手段、文字情報入力手段、撮影手段及び画像表示手段を有する携帯電話機において、
前記撮影手段のレリーズ手段及び前記電話通信手段を介して受信した信号から前記レリーズ手段の起動信号を生成する制御信号生成手段を有することを特徴とする携帯電話機。
【請求項２】
リモコン撮影モードを設定するリモコン設定手段を有し、リモコン撮影モードが設定されたときに、前記電話通信手段は、リモコン撮影の指令信号を送信することを特徴とする請求項１に記載の携帯電話機。
【請求項３】
前記制御信号生成手段は、前記電話通信手段を介して受信した信号からリモコン撮影における撮影条件を設定する制御信号を生成することを特徴とする請求項１又は請求項２に記載の携帯電話機。
【請求項４】
前記撮影手段が撮影した画面の情報又は前記電話通信手段を介して受信した画面の情報を記憶する画像メモリを有し、前記画像表示手段は、前記画像メモリに記憶されている画像の情報に基づいて画像表示をすることを特徴とする請求項１〜３のいずれか１項に記載の携帯電話機。
【請求項５】
前記画像表示手段は、前記電話通信手段を介して受信した信号に基づいて、他の携帯電話機が有する撮影手段から見たプレビュー画面を表示することを特徴とする請求項１〜４のいずれか１項に記載の携帯電話機。
【発明の詳細な説明】
【技術分野】
【０００１】
本発明は、撮影位置から離れた位置で撮影操作を行うことができるリモコン撮影機能を有する携帯電話機に関する。
【背景技術】
【０００２】
最近の携帯電話機はカメラ付きのものが一般的であり、通話機能に加えて、撮影済み画像又はプレビュー画像を表示する機能、画像を撮影し、撮影した画像を記憶する機能、撮影した画像を送信する機能及び他の携帯電話機から画像情報を受信し表示する機能を有する。
【０００３】
ところで、カメラにおける有用な機能として、遠隔位置から撮影操作ができる機能、すなわち、リモコン撮影機能があるが、従来のリモコン撮影機能は、例えば、特許文献１のように、光通信を利用したリモコン制御である。
【特許文献１】特開平７−１０７５６７号公報
【発明の開示】
【発明が解決しようとする課題】
【０００４】
従来のリモコン撮影機能は特許文献１で例示するように、カメラの一部として組み込まれたもの或いはカメラの付属装置であった。そしてこのようなリモコン撮影機能では、リモコン操作をする位置とカメラが設置され、撮影が行われる位置間の距離が限定され、数十メートルを超えるリモコン撮影は不可能であった。
【０００５】
しかるにリモコン撮影機能において、リモコン操作する位置と撮影位置間の距離に制限が無ければ、リモコン撮影機能の利用価値が格段に高いものとなる。例えば、変化する現場の状況を遠隔地から監視し撮影するには、従来大規模で高価な監視装置が必要であったが、一般に使用されるカメラのリモコン撮影機能を用いて監視、撮影ができれば、手軽で安価な監視が可能となり、また、監視装置の設置などの特別な準備を必要としないで、監視、撮影が必要なときに、即時に実行可能となるので、リモコン撮影機能が格段に有用なものとなる。
【０００６】
本発明は、携帯電話機の通信機能を利用することにより、リモコン操作位置と撮影位置間の距離に制限がない、高い利用価値を持ったリモコン撮影機能を備えた携帯電話機を提供することを目的とする。
【課題を解決するための手段】
【０００７】
前記目的は、下記の発明により達成される。
【０００８】
１．
音声入出力手段、送受信を行う電話通信手段、文字情報入力手段、撮影手段及び画像表示手段を有する携帯電話機において、
前記撮影手段のレリーズ手段及び前記電話通信手段を介して受信した信号から前記レリーズ手段の起動信号を生成する制御信号生成手段を有することを特徴とする携帯電話機。
【０００９】
２．
リモコン撮影モードを設定するリモコン設定手段を有し、リモコン撮影モードが設定されたときに、前記電話通信手段は、リモコン撮影の指令信号を送信することを特徴とする前記１に記載の携帯電話機。
【００１０】
３．
前記制御信号生成手段は、前記電話通信手段を介して受信した信号からリモコン撮影における撮影条件を設定する制御信号を生成することを特徴とする前記１又は前記２に記載の携帯電話機。
【００１１】
４．
前記撮影手段が撮影した画面の情報又は前記電話通信手段を介して受信した画面の情報を記憶する画像メモリを有し、前記画像表示手段は、前記画像メモリに記憶されている画像の情報に基づいて画像表示をすることを特徴とする前記１〜３のいずれか１項に記載の携帯電話機。
【００１２】
５．
前記画像表示手段は、前記電話通信手段を介して受信した信号に基づいて、他の携帯電話機が有する撮影手段から見たプレビュー画面を表示することを特徴とする前記１〜４のいずれか１項に記載の携帯電話機。
【発明の効果】
【００１３】
請求項１〜５のいずれかの発明により、撮影の操作をする位置と撮影が行われる位置間の距離の制限がなくなるので、長距離、超長距離を隔てたリモコン撮影が可能になる。
【００１４】
請求項３の発明により、ストロボ使用の可否、露光補正、フォーカシング、ホワイトバランス等の撮影条件の設定を伴ったリモコン撮影が可能となる。
【００１５】
請求項４の発明により、撮影した画像や遠隔地にある他の携帯電話機が撮影した画像を見ることが可能となる。
【００１６】
請求項５の発明により、遠隔地にある他の携帯電話機の撮影手段から見たプレビュー画面を見ることができるので、リモコン撮影における撮影条件の設定を適切に行うことができる。
【発明を実施するための最良の形態】
【００１７】
以下、実施の形態により本発明を詳しく説明するが、本発明はこれに限定されるものではない。
【００１８】
図１は、本発明の実施の形態に係る携帯電話機の一例の外観図である。
【００１９】
図１に示す携帯電話機Ｔは、ケースとしての上基体１と、ヒンジ３を介して上基体１に連結された下基体２で構成される。図１（ａ）は操作部側を示し、図１（ｂ）は背面側である撮影側を示す。
【００２０】
下基体２には、数字ボタン等からなる操作ボタン４、電源ボタン、通話ボタン等の機能ボタン５、レリーズボタン６、メニューボタン７、スクロールボタンあるいはカーソル操作ボタンとしての４方向ボタン８及びマイク１０が設けられる。
【００２１】
上基体１には、その操作部側に表示部９及びスピーカ１１が設けられ、その撮影側にデジタルカメラのレンズ１３及びストロボ発光部１４が設けられ、更に、頭部にアンテナ１２が伸張可能に設けられる。
【００２２】
周知のように、電源ボタン等の機能ボタン５、操作ボタン４等の操作により通話やメールの送受信、レリーズボタン６の操作により写真撮影が行われるが、本発明の携帯電話機Ｔでは２台の携帯電話機を用いて、遠隔地からのリモコン撮影を行うことが可能であり、電話通信を利用してリモコン撮影を行うので、リモコン撮影の操作を行う位置と撮影が行われる位置との距離に制限がなく、地球規模のような長距離を隔てたリモコン撮影を行うことが出来る。
【００２３】
図２は本発明の実施の形態に係る携帯電話機Ｔの一例の構成を示すブロック図である。携帯電話機Ｔはカメラ付き携帯電話機からなる。
【００２４】
２０はデジタルカメラからなる撮影手段であり、被写体を撮影し画像情報を生成する。撮影手段２０は撮影した画像の情報及び未撮影であって、デジタルカメラのレンズを通して見た画像、すなわち、プレビュー画面の画像情報を生成する。
【００２５】
画像メモリ２１は、撮影手段２０が撮影した画像情報や他の携帯電話機から受信した画像情報を記憶するものであり半導体メモリで構成される。
【００２６】
画像表示手段２２は、相手の携帯電話機から受信した文字情報、画像情報等各種の情報、メール情報、メニュー画面等、各種のメッセージ表示、画像表示を行う。撮影においては、撮影手段２０から送出された画像情報あるいは画像メモリ２１に記憶されている画像情報を表示するものであり、図１の表示部９を有し、たとえば液晶表示装置で構成される。
【００２７】
音声入出力手段２３は、図１のマイク１０及びスピーカ１１を有し、携帯電話機使用者の音声を入出力し、電話通信手段２６に音声情報を送出するものである。
【００２８】
文字情報入力手段２４は電話番号、数字、文字を含む文字情報を入力するものであり、図１の操作ボタン４を有する。
【００２９】
文字メモリ２５は、文字情報入力部２４からの文字情報あるいは電話通信手段２６で受信した文字情報を記憶するものであり、半導体メモリで構成される。なお、文字情報には電話番号等の数字情報が含まれる。
【００３０】
電話通信手段２６は他の携帯電話機との間で、音声情報、文字情報、画像情報及び各種の制御信号を無線電話通信により送受信する。
【００３１】
制御信号生成手段２７は、電話通信手段２６が受信した信号から携帯電話機Ｔの起動や後に説明する撮影手段のレリーズ信号等の制御信号を分離する回路である。
【００３２】
システム制御手段２８は全体を制御するものであり、各部の作動制御及びメモリの書込・読み出しを行う。
【００３３】
リモコン設定手段２９は、リモコン撮影モードを設定する手段であり、図１のメニューボタン７を有する。リモコン設定手段２９により、リモコン撮影モードが設定されると、後に説明するように、レリーズボタン６の操作信号は、電話通信手段２６を介して相手機に送信される。
【００３４】
図３は撮影手段２０の詳細機能を示すブロック図である。
【００３５】
レンズ３０を通して、ＣＣＤで構成される撮像素子３１が被写体３８の像を受光し、撮像素子３１の出力信号を信号処理回路３２でデジタル画像情報に変換して、画像情報を生成する。
【００３６】
撮影はレリーズ手段３６のレリーズ信号の基づいて行われるが、ストロボ撮影においては、ストロボ３５がレリーズと同調発光して被写体３８を照明する。
【００３７】
撮影の際に設定される条件としては、前記のストロボの使用・非使用の他に絞り３３を制御する露光補正、フォーカシング手段３４によりレンズ３０を駆動するフォーカシング及び信号処理回路３２を調整するホワイトバランスがある。
【００３８】
撮影を行う際には、レリーズ手段３６を構成する図１のレリーズボタン６が操作され、撮影した写真は図１の表示部９に表示され、画像メモリ２１に記憶される。また、電話通信手段２６から送信される。
【００３９】
撮影に当たっての前記した種々の条件は、メニューボタン７を操作して撮影条件のメニューを表示部９に表示し、４方向ボタン８を用いた条件選択操作により設定される。
【００４０】
本発明の携帯電話機では、前記したように通常撮影の他にリモコン撮影が可能であるが、図４を用いてリモコン撮影を説明する。
【００４１】
図４はリモコン撮影を行う２台の携帯電話機Ｔ１、Ｔ２を示す。携帯電話機Ｔ１、Ｔ２はともに、図１〜３に示す構成を有する。
【００４２】
携帯電話機Ｔ１からリモコン操作して、携帯電話機Ｔ２で撮影を行う場合には、携帯電話機Ｔ１で携帯電話機Ｔ２を呼び出し、次に、携帯電話機Ｔ１のメニューボタン７を用いて、表示部９にリモコン撮影モードの画面を表示してリモコン撮影モードを選択し、撮影に当たっての各種の条件設定を前記に説明した手順に従って設定する。
【００４３】
条件設定等の準備が完了したら、携帯電話機Ｔ１のレリーズボタン６を操作して撮影指令信号を携帯電話機Ｔ２に送信し、携帯電話機Ｔ２において撮影が行われる。
【００４４】
リモコン撮影モードを設定する手順を実行した後のレリーズボタン６の操作によっては、携帯電話機Ｔ１の撮影手段２０は作動せず、携帯電話機Ｔ１の電話通信手段２６から撮影指示信号が携帯電話機Ｔ２に送信される。
【００４５】
携帯電話機Ｔ２の制御信号生成手段２７は、電話通信手段２６が受信した信号から各種の制御信号、すなわち、レリーズ信号、各種の撮影条件設定信号を分離して、システム制御手段２８に入力し、システム制御手段２８は、携帯委電話機Ｔ１から受けた各種の制御信号に基づいて撮影手段２０を制御して撮影を行う。
【００４６】
さて、携帯電話機Ｔ１において通常撮影モードが設定された場合には、表示部９に携帯電話機Ｔ１の撮影手段２０をとおして見たプレビュー画面が表示されが、リモコン撮影モードが携帯電話機Ｔ１において設定された場合には、携帯電話機Ｔ２の撮影手段２０を通して見たプレビュー画面が携帯電話機Ｔ１の表示部９に表示される。
【００４７】
このように、リモコン撮影では、携帯電話機Ｔ２の撮影手段２０で見た被写体のプレビュー画面が携帯電話機Ｔ１の表示部９で表示される。携帯電話機Ｔ１からの操作で行われる、フォーカシングやホワイトバランスのように、被写体の状況に応じて行われる条件設定は、プレビューメニューを用いて相手機における撮影手段２０が見た画面のプレビューを行いつつ実行できるので、適切な条件設定が可能となる。
【００４８】
本実施の形態においては、さらに、リモコン撮影機能を用いたインターバル撮影を行うことができる。
【００４９】
該インターバル撮影は、メニューボタン７の操作により、リモコンモードを選択し、さらに、インターバル撮影モードを選択することにより実行可能である。インターバル撮影におけるインターバル時間及びショット数は、表示部９に表示されるマニュアル画面に基づいて、操作ボタン４を用いて設定することができる。
【００５０】
携帯電話機Ｔ２における撮影で生成した画像情報は、携帯電話機Ｔ２の画像メモリ２１に記憶されるとともに、携帯電話機Ｔ２の電話通信手段２６から携帯電話機Ｔ１に送信され、携帯電話機Ｔ１において画像表示され記憶される。
【図面の簡単な説明】
【００５１】
【図１】本発明の実施の形態に係る携帯電話機の一例の外観図である。
【図２】本発明の実施の形態に係る携帯電話機の一例の構成を示すブロック図である。
【図３】撮影手段の詳細機能を示すブロック図である。
【図４】リモコン撮影を行う２台の携帯電話機を示す図である。
【符号の説明】
【００５２】
２０  撮影手段
２１  画像メモリ
２２  画像表示手段
２３  音声入出力手段
２４  文字情報入力手段
２５  文字メモリ
２６  電話通信手段
２７  制御信号生成手段
２８  システム制御手段
２９  リモコン設定手段
【図１】
2005102025.tif 000003
【図２】
2005102025.tif 000004
【図３】
2005102025.tif 000005
【図４】
2005102025.tif 000006